(57)【要約】【課題】既設の壁面の状況に合わせてドライヤー本体を載置するホルダーの取り付け位置を変更した場合に、ドライヤー本体から吐出する温風が近距離にある壁面に当って壁面の温度が上昇し、壁面が変形したり、焦げたりするような危険な状態を防止したものである。【解決手段】庇部２と載置部３とによりコ字状の収納部５を有したホルダー１と、吸気口１１及び吐出口１２を有する送風胴１３とハンドル１４とを有するドライヤー本体１０を備え、前記載置部にはハンドルの挿脱部４を形成すると共に、前記ホルダーの両側壁６ａ、６ｂの何れか一方の側壁に着脱自在に装着する側板９によりドライヤー本体の載置位置を規制する。【選択図】        図１
2004329482.tif 000002
【特許請求の範囲】
【請求項１】
側面形状がコ字状で上部に庇部を有し該庇部から所定間隔を存して下部に窪みを形成した載置部を有するホルダーと、直線状に配置した吸気口と吐出口を有し前記吸気口から吸気した空気を温風に変換して吐出口から吐出する送風胴と該送風胴体と連設したハンドルを有するドライヤー本体と、前記ホルダーの側壁に取り付けた側板とを備え、前記所定間隔は送風胴の収納部であり、前記窪みはハンドルの挿脱部であって、前記側板は、ホルダーの両側壁の何れか一方の側壁に着脱自在に装着することを特徴とする壁掛式ドライヤー。
【請求項２】
前記ホルダーの両側壁にはそれぞれが同形状の係合溝を形成し、前記側板を係合溝に着脱自在に装着することを特徴とする請求項１に記載の壁掛式ドライヤー。
【請求項３】
前記収納部は側面形状が円弧形を呈し、前記側板の１辺を前記収納部の円弧形と同形状に形成したことを特徴とする請求項１に記載の壁掛式ドライヤー。
【請求項４】
前記ドライヤー本体は側面形状がＴ形を呈し、水平方向に送風胴、鉛直方向にハンドルを設けたものであって、前記窪みを左右両係合溝間の中間位置に設け、前記ハンドルの鉛直方向の中心線と送風胴の水平方向の中心線とが交叉する点（Ｐ）から吐出口端縁までの距離（Ａ）と、点（Ｐ）から吸気口端縁までの距離（Ｂ）と、前記送風胴を収納部に収納しハンドルを窪みに収納した状態で点（Ｐ）から前記係合溝の内端までの距離（Ｃ）の寸法配分を、（Ａ）＞（Ｃ）＞（Ｂ）に設定したことを特徴とする請求項１に記載の壁掛式ドライヤー。
【請求項５】
前記ドライヤー本体の吸気口端縁からハンドルの吸気口側に位置する端縁までの距離（Ｄ）と、前記窪みの鉛直方向の中心線から見て共に同側方にある係合溝の内端から前記窪みの内端までの距離（Ｅ）の寸法配分を、（Ｅ）＞（Ｄ）に設定したことを特徴とする請求項１及び２に記載の壁掛式ドライヤー。
【発明の詳細な説明】
【０００１】
【発明の属する技術分野】
本発明はホテルや旅館向けとして使用するものであって、ドライヤー本体と該ドライヤー本体をセットにして壁面に取り付ける壁掛式ドライヤーに関する。
【０００２】
【従来の技術】
ホテル向けに開発された壁掛式ドライヤーは、壁に取り付け予め壁に固定されているコンセント内の商用交流電源と接続したホルダーと、電源コードを介して前記ホルダー内の商用交流電源のケーブルと接続しホルダーに載置自在としたドライヤー本体とから構成している。（例えば、特許文献１、公報の第２頁右欄第４３行目〜第３頁左欄第１３行目）
【０００３】
【特許文献１】
特開２００２−２８０２２号公報
この様な壁掛式ドライヤーのホルダーは、ホテル内のバスユニットの壁面に取り付けられるが、もともとバスユニットの室内空間が小さいうえに既設の壁コンセントの取り付け位置の制約があり、限られた壁面の限られた位置に取り付けることとなった。さらに、もう一つの制約として、湯気が上昇するミキシングバルブの上方の壁面や同様に湯気が上昇するバスに近い位置の壁面は避け、一方、壁コンセントがあり、それが通常のコンセントであれば問題ないが、壁コンセントがなくＶＡケーブルが壁面から露出した状態でホルダーのケーブルと接続する場合ではケーブルの長さに応じて壁面での取り付け位置が制限される。
【０００４】
【発明が解決しようとする課題】
以上の様な種々な要因によってホルダーの取り付け位置、即ちドライヤー本体の設置位置が自ずと決定されることになる。一方、ホテル用として使用されるドライヤーは家庭用と異なり不特定多数の宿泊客が利用し統計的にもドライヤー本体の電源スイッチをＯＦＦすることなくホルダーに載置することが多い。
【０００５】
ドライヤー本体の電源スイッチをＯＦＦすることなくホルダーに載置した場合には、ホルダーの取り付け位置が壁面に近い位置であれば吐風口から出る温風が壁面に長時間当って壁面の温度が上昇し合成樹脂製の壁面であれば変形、溶解を生じ、木材の壁面であれば火災の危険を生じる。この様なことから、ドライヤー本体のハンドルに、ハンドルを握ればファンモータとヒータに通電可能となりハンドルを離せばファンモータとヒータへの通電を遮断するグリップスイッチを設けたものもあるが、グリップスイッチが故障した場合には前述の危険が生じる。
【０００６】
本発明は、既設の壁面の状況に合わせてドライヤー本体を載置するホルダーの取り付け位置を変更した場合に、ドライヤー本体から吐出する温風が近距離にある壁面に当って壁面の温度が上昇するのを防止するものである。
【０００７】
【課題を解決するための手段】
本発明は、側面形状がコ字状で上部に庇部を有し該庇部から所定間隔を存して下部に窪みを形成した載置部を有するホルダーと、直線状に配置した吸気口と吐出口を有し前記吸気口から吸気した空気を温風に変換して吐出口から吐出する送風胴と該送風胴体と連設したハンドルを有するドライヤー本体と、前記ホルダーの側壁に取り付けた側板とを備え、前記所定間隔は送風胴の収納部であり、前記窪みはハンドルの挿脱部であって、前記側板は、ホルダーの両側壁の何れか一方の側壁に着脱自在に装着するものである。
【０００８】
また、前記ホルダーの両側壁にはそれぞれが同形状の係合溝を形成し、前記側板を係合溝に着脱自在に装着するものである。
【０００９】
そして、前記収納部は側面形状が円弧形を呈し、前記側板の１辺を前記収納部の円弧形と同形状に形成したものである。
【００１０】
さらに、前記ドライヤー本体は側面形状がＴ形を呈し、水平方向に送風胴、鉛直方向にハンドルを設けたものであって、前記窪みを左右両係合溝間の中間位置に設け、前記ハンドルの鉛直方向の中心線と送風胴の水平方向の中心線とが交叉する点（Ｐ）から吐出口端縁までの距離（Ａ）と、点（Ｐ）から吸気口端縁までの距離（Ｂ）と、前記送風胴を収納部に収納しハンドルを窪みに収納した状態で点（Ｐ）から前記係合溝の内端までの距離（Ｃ）の寸法配分を、（Ａ）＞（Ｃ）＞（Ｂ）に設定したものである。
【００１１】
加えて、前記ドライヤー本体の吸気口端縁からハンドルの吸気口側に位置する端縁までの距離（Ｄ）と、前記窪みの鉛直方向の中心線から見て共に同側方にある係合溝の内端から前記窪みの内端までの距離（Ｅ）の寸法配分を、（Ｅ）＞（Ｄ）に設定したものである。
【００１２】
【発明の実施の形態】
本発明の実施例を図面に基づいて説明する。図１は本発明の壁掛式ドライヤーの実施例で、ドライヤー本体をホルダーに載置した状態の正面図、図２は同じく斜視図、図３は同じく側板を装着しない側方から見た側面図である。
【００１３】
（１）は正面形状が長方形、側面形状がコ字状で上部に水平方向に延びる庇部（２）を有しその下方には所定間隔を存して載置部（３）を形成したＡＢＳ製のホルダーで、以下にその詳細構造を説明する。前記載置部の中央部には後述するドライヤー本体のハンドルを入れる収脱部となる窪み（４）を形成し、前記所定間隔は後述するドライヤー本体の送風胴の収納部（５）で側面形状が円弧形を呈している。
【００１４】
前記ホルダー（１）の左右両側壁（６ａ）、（６ｂ）には、図１に示す様にそれぞれが同形状の係合溝（７ａ）、（７ｂ）を形成し、結果として窪みの鉛直方向の中心線（Ｘ１）から左右対象形状とする。
【００１５】
勿論、窪み（４）の横幅寸法はドライヤー本体のハンドルの幅寸法よりも大きい寸法とし、収納部（５）の上下方向及び左右方向の寸法は送風胴の上下寸法及び左右全長寸法よりも大きい寸法に設定している。（８）、（８）は窪み（４）を挟んだ両側に設けたスタンドである。
【００１６】
（９）は前述の２つの係合溝（７ａ）、（７ｂ）のうちの一つの係合溝に着脱自在に取り付けるＤ字形の側板で、ＡＢＳ製の樹脂で形成されており、係合溝への装着は嵌合するような程度でホルダー全体の強度を高める。勿論、側板（９）を係合溝（７ａ）に装着した状態ではホルダー（１）の側壁（６ａ）と側板の外壁面とが同一面となるように係合溝の溝幅寸法と側板の板厚寸法を略同寸法に設定している。
【００１７】
（１０）はＴ字形（ピストル形）のドライヤー本体で、一端に吸気口（１１）を有し他端に吐出口（１２）を形成した水平方向に略直線状で断面が円形の送風胴（１３）と、この送風胴と連設又は連結し送風胴の水平方向と直交する方向に延びるハンドル（１４）とから構成している。前記送風胴内には、図示していないが吸気口（１１）から空気を吸い込むファン及びそのモータと、送風胴内を通過する空気を温風に変換するヒータと、それぞれの付属電機部品を内装している。また、ハンドルには、グリップレバー（１５）を設け、このレバーによって内部のスイッチをＯＮ−ＯＦＦにして前記モータやヒータへの通断電を行うと共に、切替レバー（１６）を設け、このレバーによって内部のスイッチを切り替えて温風／冷風の選択や温風のＬＯ−ＨＩの切り替えを行う。
【００１８】
斯して、図１に示す様に、窪み（４）は左右両係合溝（７ａ）、（７ｂ）間の中間位置に設け、ハンドル（１４）の略鉛直方向の略中心線（Ｘ２）と送風胴（１３）の水平方向の中心線（Ｙ）とが交叉する点（Ｐ）から吐出口端縁までの距離（Ａ）と、同じく点（Ｐ）から吸気口端縁までの距離（Ｂ）と、送風胴（１３）を収納部（５）に収納し、ハンドル（１４）を窪み（４）に収納した状態で点（Ｐ）から前記係合溝（７ａ）、（７ｂ）の内縁までの距離（Ｃ）の寸法配分は、（Ａ）＞（Ｃ）＞（Ｂ）に設定している。
【００１９】
これにより、側板（９）を一方の係合溝に装着した状態でドライヤー本体の送風胴（１３）を収納部（５）に収納載置時に、吐出口（１３）側が側板（９）に当たり収納できないようにする。
【００２０】
また、吸気口端縁からハンドル（１４）の吸気口側に位置する（近い）端縁までの距離（Ｄ）と、前記窪み（４）の鉛直方向の中心線（Ｘ１）から見た場合の同側方にある係合溝の内端から前記窪み（４）の内端までの距離（Ｅ）の寸法配分は、（Ｅ）＞（Ｄ）に設定している。
【００２１】
これにより、ドライヤー本体（１０）をホルダー（１）に載置した場合の窪み内でのハンドルの左右方向の動きによって吐出口（１２）が側板（９）に直面した状態で送風胴（１３）が収納部（５）に収納されないようにする。
【００２２】
勿論、ハンドル（１４）を窪み（４）に入れた時の左右の遊びをなくする程度の窪みの左右方向の寸法を小さくすれば、ドライヤー本体の載置時に窪みの寸法を考慮する必要はないが、実際にはハンドルの挿脱をスムースに行うために多少の遊びが必要となり、このことが前述の（Ｅ）＞（Ｄ）の寸法配分の設定を行う要因となった。
【００２３】
詳図していないがホルダー（１）内には予め壁面に取り付けられたコンセントや商用電源と接続するケーブルが設けられ、ドライヤー本体（１０）の電源コード（１６）と接続する。
【００２４】
次に実際の使用状態について述べる。例えばホテルのバスユニット内の壁面の既設コンセントや洗面所のミキシングバルブの設置位置の制約によりホルダー（１）をその右側の側壁（６ａ）が面対向する壁面と近接して取り付けることになった場合について説明する。
【００２５】
この場合は、あらかじめホルダー（１）を壁面の限られた位置にボルトにより、或は既設コンセントの取付用ネジを利用して取り付けるわけであるが、通常はホルダーによって既設コンセントや交流電源のケーブルとの接続部を覆うようにして取り付ける。
【００２６】
その後、側板（９）をホルダー（１）の右側にある係合溝（７ａ）に装着し収納部（５）の右側を塞ぎ、側板（９）の外壁面とホルダーの側壁（６ａ）とを同一平面にする。係合溝（７ａ）に装着した側板（９）は庇部（２）と載置部（３）との間の支柱的な作用をなし体裁もよくなる。
【００２７】
ここで、ドライヤー本体（１０）の吐出口（１２）を側板（９）側に向けて送風胴（１３）を収納すると、（Ａ）＞（Ｃ）＞（Ｂ）の寸法配分から吐出口（１２）の端縁が側板に当たり収納することができない。これに気付いた使用者は、ドライヤー本体（１０）のハンドル（１４）を持ち直して送風胴（１３）を１８０度回転させ吐出口（１２）の端縁が側板（９）を装着していない係合溝（７ｂ）側に向けて収納する。この時、吐出口の端縁は側板（９）が装着されていない係合溝（７ｂ）の幅寸法内に入り込み収納することができる。
【００２８】
斯して、ドライヤー本体（１０）の送風胴（１３）を収納部（５）に収納する際に、ハンドル（１４）の端縁（１７）が窪み（４）の側板（９）側に近い端縁（１８）に当った状態で収納されても、（Ｃ）＞（Ｄ）の寸法配分により吸気口（１１）が側板（９）に向かい、吐出口（１２）の端縁（１９）が側板（９）の装着がない係合溝（７ｂ）内に入り規定の方向でドライヤー本体（１０）をホルダー（１）に載置する。
【００２９】
【発明の効果】
以上の様に本発明は、収納部を有するホルダーの両側壁の何れか一方の側壁に側板を着脱自在に装着し、ドライヤー本体の送風胴を前記収納部に収納するものであるから、ホルダーの取り付け位置に制約があっても側板の装着によってドライヤー本体の送風胴の載置位置、即ち、温風の吐出口の位置が決められ温風が直接壁面に当たるのを防止できる。また、側板は前記収納部を形成する庇部と載置部間に嵌められ支柱の段目をなしホルダー全体の強度を高めることができる。
【００３０】
また、ホルダーの両側壁に形成した同形状の係合溝に側板を着脱自在装着するものであるから、ホルダーの取り付け位置に応じて一枚の側板を何れか一方の係合溝に装着し所望の目的を達成することができる。
【００３１】
そして、側板の１辺の形状を収納部の側面形状である円弧形と同形状としたものであるから、側板の装着時には円弧形の部分同士を嵌合することで簡単に装着できる。
【００３２】
さらに、距離（Ａ）、（Ｂ）、（Ｃ）の寸法配分を（Ａ）＞（Ｃ）＞（Ｂ）に設定することで、ドライヤー本体のホルダーへの載置時に、側板を取り付けている側方に温風の吐出口が位置するように載置しようとしても吐出口の端縁が側板に当り正規の位置に載置収納できない。
【００３３】
また、距離（Ｄ）、（Ｅ）の寸法配分を（Ｅ）＞（Ｄ）に設定することで、ドライヤー本体をホルダーに載置する時のハンドルが入る窪みに遊び寸法を設けても吐出口が側板に直面するような載置を防止することができる。即ち、ドライヤー本体のホルダーへの載置を容易にしながらもドライヤー本体を所定位置に載置して安全を確保する。
【図面の簡単な説明】
【図１】本発明の壁掛式ドライヤーの実施例で、ドライヤー本体をホルダーに載置した状態の正面図である。
【図２】同じく斜視図である。
【図３】同じく側板を装着しない側方から見た側面図である。
【符号の説明】
１  ホルダー
２  庇部
３  載置部
４  窪み（挿脱部）
５  収納部
６ａ、６ｂ  側壁
７ａ、７ｂ  係合溝
９  側板
１０  ドライヤー本体
１１  吸気口
１２  吐出口
１３  送風胴
１４  ハンドル
【図１】
2004329482.tif 000003
【図２】
2004329482.tif 000004
【図３】
2004329482.tif 000005